(57)【要約】本発明は、ＬＥＤキャリアアセンブリを製造する方法を記述する。本方法は、マウント面を有するキャリアに多数のＬＥＤダイを受け容れるように配置されたマウントパッドを備えるステップと、キャリアにアライメント磁石を埋め込むステップと、多数のＬＥＤダイを提供するステップであり、該ＬＥＤダイは多数の磁気ダイパッドを有するステップと、アライメント磁石の磁気範囲内でキャリアのマウント面の上にＬＥＤダイを配置することによって、磁気ダイパッドをマウントパッドに対して整列させるステップと、を含む。本発明は、また、ＬＥＤキャリアアセンブリも記述する。
2020501370.tif 000002
【特許請求の範囲】
【請求項１】
ＬＥＤキャリアアセンブリを製造する方法であって、
マウント面を有するキャリアに、多数のＬＥＤダイを受け容れるように配置されたマウントパッドを備えるステップと、
前記キャリアに、アライメント磁石を埋め込むステップと、
多数のＬＥＤダイを提供するステップであり、ＬＥＤダイは、多数の磁気ダイパッドを有する、ステップと、
前記アライメント磁石の磁気範囲内で前記キャリアのマウント面の上に前記ＬＥＤダイを配置することによって、前記磁気ダイパッドを前記マウントパッドに対して整列させるステップと、
を含む、方法。
【請求項２】
前記アライメント磁石は、前記キャリアの前記マウント面の下方に最大で２．０ｍｍの深さまで埋め込まれている、
請求項１に記載の方法。
【請求項３】
前記アライメント磁石の上面は、前記キャリアの前記マウント面と本質的に同一平面である、
請求項２に記載の方法。
【請求項４】
前記方法は、
前記整列させるステップの以前に、前記マウントパッドに導電性グリースを適用するステップ、及び／又は、
ＬＥＤダイパッドに保護コーティングを適用するステップ、を含む、
請求項１乃至３いずれか一項に記載の方法。
【請求項５】
前記キャリアの前記マウント面を液体の中に沈めるステップと、
前記整列させるステップに備えて、前記液体の上に前記ＬＥＤダイを浮かせるステップと、
含む、請求項１乃至４いずれか一項に記載の方法。
【請求項６】
前記キャリアに関して前記整列されたＬＥＤの位置を固定するために、前記整列されたＬＥＤダイの上にカバー層を適用するステップ、を含む、
請求項１乃至５いずれか一項に記載の方法。
【請求項７】
前記カバー層は、硬化の際に収縮を受ける材料を含む、
請求項６に記載の方法。
【請求項８】
ＬＥＤキャリアアセンブリであって、
多数のＬＥＤダイを受け容れるように配置されたマウントパッドを備えるマウント面を有するキャリアと、
前記キャリアの本体の中に埋め込まれた多数のアライメント磁石であり、ＬＥＤダイの前記マウントパッドの下で前記キャリアの本体内に埋め込まれている、アライメント磁石と、
多数のＬＥＤダイであり、磁気ダイパッドと前記キャリアの前記マウント面の下に配置されたアライメント磁石との間の磁力によって、前記マウントパッドに対して整列された多数の磁気ダイパッドを備える、ＬＥＤダイと、
を含む、ＬＥＤキャリアアセンブリ。
【請求項９】
前記アライメント磁石の厚さは、少なくとも０．１ｍｍであり、かつ／あるいは、
前記アライメント磁石の側面長さは、最大で２．０ｍｍである、
請求項８に記載のＬＥＤキャリアアセンブリ。
【請求項１０】
前記ＬＥＤキャリアアセンブリは、
前記キャリアの前記マウントパッドに関して整列された複数のＬＥＤダイと、
対応する複数のアライメント磁石と、を含む、
請求項８または９に記載のＬＥＤキャリアアセンブリ。
【請求項１１】
アライメント磁石は、永久磁石として具現化されている、
請求項８乃至１０いずれか一項に記載のＬＥＤキャリアアセンブリ。
【請求項１２】
アライメント磁石および磁気ＬＥＤダイパッドの寸法、及び／又は、材料特性、及び／又は、相対位置は、前記アライメント磁石と前記磁気ＬＥＤダイパッドとの間で、少なくとも０．４ｍＮ、より好ましくは少なくとも０．６ｍＮ、最も好ましくは少なくとも０．８ｍＮの吸引力を達成するように選択されている、
請求項８乃至１１いずれか一項に記載のＬＥＤキャリアアセンブリ。
【請求項１３】
アライメント磁石および対応する磁気ダイパッドそれぞれは、前記キャリアの前記マウント面に対して平行な磁化方向を有する、
請求項８乃至１２いずれか一項に記載のＬＥＤキャリアアセンブリ。
【請求項１４】
前記ＬＥＤダイは、磁気アノードダイパッド及び／又は磁気カソードダイパッドを備える、
請求項８乃至１３いずれか一項に記載のＬＥＤキャリアアセンブリ。
【請求項１５】
前記磁気ダイパッドの相対透磁率は、少なくとも５０００を含む、
請求項８乃至１４いずれか一項に記載のＬＥＤキャリアアセンブリ。
【発明の詳細な説明】
【技術分野】
【０００１】
本発明は、LEDキャリアアセンブリを製造する方法に関する。本発明は、さらに、LEDキャリアアセンブリおよびLEDについて記述する。
【背景技術】
【０００２】
複数の電子コンポーネントを含む電子デバイスをアセンブリまたは製造するために、表面実装技術(surface-mount  technology、SMT)が、プリント回路基板(PCB)上で電子コンポーネントをそれらの指定された位置にマウントする確立された方法として広く使用されている。ピックアンドプレース（pick-and-place）マシンといった、SMTコンポーネント配置システムは、事前にデポジットされた半田パッドの上に電子コンポーネントを正確かつ迅速に配置することができ、次いで、例えば、リフロー半田オーブンの中で所定の位置に半田付けされる。PCBといった、キャリアの上へマウントするための発光ダイオードダイ（LED  die）は、ダイ自体およびキャリア上のトラックに対して接続するためのダイパッドを含み得る。SMTマウント、ハンドリング、および電気的接続の形成を促進するために、環境保護、等を提供するように、LEDダイは、また、いくつかの適切なパッケージを含んでよい。以降では、用語「LEDダイ」と「LED」は、互換的に使用され得る。用語「LEDパッド」と「ダイパッド」も、また、互換的に使用され得る。
【０００３】
SMT  LEDの電極接点（electrode  contacts）も、また、たいてい、PCB上の所定の位置に半田付けされ得る。LEDダイパッドとPCBパッドとの間の半田接続は、好ましくは低い電気低抗および熱抵抗を有している。しかしながら、LEDダイを所定の位置に半田付けすることは、多くの問題と関連している。第１に、全ての半田は十分に高い温度で溶融し、そして、LEDダイとPCBとの間の半田接合が、従って、LEDダイの許容される接合温度（junction  temperature）を制限している。過度に高い接合温度は、半田を軟化し、または、融解さえし、そして、LEDダイはPCBから分離し得る。第２に、凝固した半田（solidified  solder）の材料特性は、繰り返される温度サイクルの際にボイド（voids）またはクラックが形成されるようなものであり、それによって、最終製品の温度衝撃（thermal  shock、TMSK）の信頼性を低下させている。第３に、半田の量、および、半田付け手段の最中の溶融と凝固プロセスにおける不確実性とランダム性は、半田接合によってマウントされたLEDが、３次元(X、Y、およびZ)のいずれにおいてもミスアライメント（misalignment）に悩まされ、そして、所望の取り付け面から外れて回転または傾き得ることを意味する。Z方向におけるミスアライメントは、たいてい、最も問題である。特には、精密に特定された光出力特性を有する照明アプリケーションの場合である。
【０００４】
さらに、LEDおよびPCBについて使用される異なる材料は、LEDの熱膨張係数(CTE)がPCBのCTEと著しく異なることを意味する。このCTEの不一致（mismatch）は、本質的に避けることができず、そして、LEDダイパッドに対して接合された硬い半田は、オペレーションの最中、そして、特には低温における、保管の最中にLEDに物理的にストレスをかける。CTEの不一致は、最終的にLEDの寿命を短縮し、そして、従って、製品の寿命も短縮する。
【０００５】
上記で概説した問題を克服するようにキャリアの上にLEDをマウントする方法を提供することが、本発明の目的である。
【発明の概要】
【０００６】
本発明の目的は、LEDキャリアアセンブリの製造に係る請求項１の方法により、および、請求項８に係るLEDキャリアアセンブリによって達成される。
【０００７】
本発明に従って、LEDキャリアアセンブリを製造する方法は、マウント面を有するキャリアに多数のLEDダイを受け容れるように配置されたマウントパッドを備えるステップと、キャリアのマウント面の下に磁石を埋め込むステップと、多数のLEDダイを提供するステップであり、LEDダイは多数の磁気ダイパッドを有するステップと、磁石の磁気範囲内でキャリアのマウント面の上にLEDダイを配置することによって、LEDダイの磁気ダイパッドをマウントパッドに対して整列させるステップと、を含む。LEDダイパッドとマウントパッドとの間の電気的および熱的接続は、半田無し（solderless）であって、かつ、これらの対向する表面間における物理的なコンタクトによって成されている。
【０００８】
本発明のLEDキャリアアセンブリは、多数のLEDダイを受け容れるように配置されたマウントパッドを備えたマウント面を有するキャリアを含む。LEDキャリアアセンブリは、さらに、多数のLEDダイを含み、ここで、LEDダイは、磁気ダイパッドとキャリアのマウント面の下に埋め込まれた磁石との間の磁力によってマウントパッドに対して整列される多数の磁気ダイパッドを有する。キャリアのマウント面の下に磁石を埋め込むステップは、磁石の本体がキャリアのマウント面の上方に延びないことを意味すると理解されるべきである。
【０００９】
本発明のコンテクストにおいて、用語「キャリア（”carrier”）」は、電子コンポーネントを受け容れるように準備され得るあらゆる適切な材料を含むものと理解されてよい。一般的に、キャリアは、非導電性基板上に形成された、導電性トラック、パッド、等を有するプリント回路基板であると理解されてよい。以降では、用語「キャリア」および「PCB」は、互換的に使用され得る。キャリアは、FR-4、アルミニウム金属コアボード、セラミック等、といったあらゆる適切な材料で作ることができ、そして、導電性トラックおよびパッドは、当業者に知られているように、エッチングといったあらゆる適切なプロシージャを使用して形成することができる。
【００１０】
本発明の方法およびLEDキャリアアセンブリの利点は、半田の代わりに、LEDとキャリアとの間の電気的接続を確立するために磁力が使用されることである。LEDとPCBとの間の接続は、従って、半田無し（solderless）接続であり、そして、序文で述べた欠点を克服する。LED接合の温度は、もはや半田によって制約され、または制限されることはない。繰り返される温度サイクルの後でさえも、LEDダイパッドとPCBパッドとの間にボイド（voids）およびクラックが進展するあらゆるリスクがもはや存在しない。そして、LEDは、LED自体とPCBとの間のCTEの不一致から生じるストレスをもはや受けることはない。
【００１１】
本発明の方法から生じるさらなる利点が存在する。例えば、LEDは、もはや半田付けの最中に高温にさらされる必要がない。このことは、より低い熱的仕様を有するより安価なLEDが使用され得ることを意味しており、それによって、LEDの材料費を削減している。本発明の方法は、また、後述するように、キャリアに対するLEDの「セルフアライメント（”self-alignment”）」を可能にすることができ、そうして、LEDは、ピックアンドプレースマシンによって連続的に処理される必要がなく、結果として、特にPCB毎のLED数量が増加するにつれて、好ましく高速かつ低コストなアセンブリプロセスを生じている。別の利点は、LEDダイとPCBパッドとの間にあらゆる半田接合が無いことが、より正確にLEDが配置され得ることを意味しており、そして、本発明の方法により、非常に正確なアライメント−特にZ方向におけるもの−が達成されることになる。本発明の方法においては、LEDが、配置される場所、すなわち、所望のマウント面において正確に留まるので、LED配置の精度が著しく改善される。さらに、半田が無いことは、LEDの向きが、変動する厚さ及び不均一な表面の半田層によってではなく、PCBの平坦度によって決定されることを意味する。本発明の方法の別の利点は、リワーク（rework）が必要とされる場合(例えば、PCB上の機能しないLEDを交換するために)、LEDを、ピンセット、ピックアンドプレースマシン、真空ピンセット、等といった適切なツールを使用して、簡単にPCBから取り出すことができることである。
【００１２】
本発明のLEDキャリアアセンブリにおいて使用されるダイは、アノードパッドおよびカソードパッドを伴う発光ダイオードを含み得る。これらの電極パッドのうち少なくとも１つ(好ましくは両方)は、多数の磁性材料層を含んでいる。磁性電極接点（magnetic  electrode  contact）は、そうでなければ非磁性ダイパッドを形成するために使用されるであろう任意の確立された技術を使用して、比較的に単純な方法で具現化され得る。例えば、磁性金属層は、適切なスパッタリング（sputtering）または電着（electrodeposition）プロセスの適用の下でデポジットされ得る。好ましくは、LEDダイパッドは、ニッケル-鉄合金またはパーマロイといった、軟磁性材料（soft  magnetic  material）の１つまたはそれ以上をデポジットすることによって形成される。
【００１３】
従属請求項および以下の説明は、本発明の有利な実施形態及び特徴を特定的に開示している。実施形態の特徴は、適宜組み合わされてよい。一つの請求項のカテゴリーのコンテクストにおいて説明される特徴は、別の請求項のカテゴリーに対して同様に適用できる。
【００１４】
以降では、表面実装製造方法に適した形状および物理的寸法をLEDダイが有していることが仮定されてよい。そうしたLEDダイは、非常に小さいサイズを有することができ、そして、一般的に、コンパクトな長方形または正方形のコンポーネントである。例えば、LEDダイは、１ｍｍ未満の辺、および、その幅のほんの少しである高さを有する、正方形のフットプリントを有してよい。LEDダイパッドまたは電極パッドは、それに応じてより小さいものである。２つのダイパッド(アノードおよびカソード)が、LEDダイの下側においてが形成されなければならないからである。ダイパッドは、LEDダイの下側の幅の大部分にわたり延在することができ、そして、適切なギャップによって分離することができる。LEDダイパッドの材料は、経時的に腐食する傾向があり得る。従って、本発明の特に好ましい実施形態において、本方法は、LEDパッドに対して保護コーティング（protective  coating）を適用するステップを含んでいる。例えば、LEDダイパッドを形成するために適用されるスパッタリングまたはデポジットプロシージャは、LEDパッドの外表面に対して貴金属の薄い層をスパッタリングまたはデポジットすることによって完結し得る。
【００１５】
LEDダイは、非常に小さく、かつ、軽いので、対応する小さな磁力によってキャリアまたはPCB上の所定の位置に保持され得る。本発明の特に好ましい実施形態において、磁石および磁気ダイパッドに係る寸法、及び／又は、材料特性、及び／又は、相対位置は、磁石と磁気LEDダイパッドとの間に、少なくとも０．４ミリニュートン(ｍＮ)、より好ましくは少なくとも０．６ｍＮ、最も好ましくは少なくとも０．８ｍＮの吸引力を達成するように選択される。例えば、およそ１ｍｇの質量を有するLEDについては、そのLED上に作用するであろう重力よりもおよそ１００倍大きい力を達成するために、１ｍＮの吸引力が十分であり得る。好ましくは、LEDダイパッドは、少なくとも５０００の非透磁率（relative  permeability）μr(自由空間の透磁率μ0に対するパッド材料の透磁率の比)を有する。
【００１６】
本発明に従って、アライメント磁石（alignment  magnet）は、PCBの本体の中に埋め込まれている。好ましくは、アライメント磁石は、キャリアのマウント面の下方２．０ｍｍの深さまで埋め込まれている。別の言葉で言えば、キャリアのマウント面とアライメント磁石の上面との間の距離は、最大で２．０ミリメートルである。本発明のさらなる好ましい実施態様において、アライメント磁石の上面は、キャリアのマウント面と本質的に同一平面である。
【００１７】
そうした埋め込まれた磁石、または、「磁気インレー（”magnetic  inlay”）」の１つは、PCBのマウント面の上に配置される各LEDダイのために、PCBに埋め込むことができる。好ましくは、磁気インレーは、後にLEDダイパッドに対して接続されるPCBパッドの位置によって決定される位置において、キャリアの本体に埋め込まれている。磁気インレーは、導電性トラックおよび接点パッドを準備するためのエッチングステップの以前に、または、適宜その逆で、PCBに埋め込むことができる。
【００１８】
本発明の好ましい実施形態において、アライメント磁石の厚さは、少なくとも０．１ミリメートル、かつ、最大で２．０ミリメートルを有する。好ましくは、アライメント磁石の横方向寸法（lateral  dimension）または側方長さ（side  length）は、少なくとも０．１ミリメートルである。好ましくは、アライメント磁石の横方向寸法または側方長さは、最大で２．０ミリメートルである。アライメント磁石の寸法は、好ましくは、所望の強度を有する吸引力を達成するように選択され、そして、また、マウントパッド間の距離にある程度依存してもよい。
【００１９】
上述のように、LEDダイパッドとPCBパッドとの間の電気的接続は、もはや半田によって行われず、そして、代わりに、これらの対向する表面間の物理的コンタクトによって行われる。従って、本発明の好ましい実施形態において、これらの表面は、十分な程度の導電率を確保するように準備されている。追加的または代替的に、本発明の方法は、アライメントステップの以前に、マウントパッドに対して、グリースといった、導電性および熱伝導性の材料の薄い層を適用するステップを含み得る。そうした導電層は、LEDダイパッドとその対応するPCBパッドとの間の電気的接続を著しく改善することができ、そして、例えば、単純な分配（dispensing）、スクリーン印刷、または、インクジェットプロセスに適用することができる。そうした層を使用する利点は、LEDダイパッドおよびそれらの対応するPCBパッドの表面が、通常の方法で、すなわち、より高い程度の平滑性（smoothness）を確保するための追加の努力を必要としないで、準備され得ることである。材料は、LEDダイパッドおよびPCBパッドに係るそうでなければ平坦な表面における不完全性から生じるあらゆるボイドを埋める。導電性および熱伝導性の材料層は、また、LEDダイパッドからPCBパッドへの熱伝達を促進することによって、アセンブリの全体的な熱性能を改善することもできる。
【００２０】
PCBは、典型的には、０．７ｍｍ−３．０ｍｍの厚さを有することができ、そして、任意の埋め込まれた磁気インレーは、好ましくは、中間誘電体層（intermediate  dielectric  layers）およびPCBパッドといった、他のエレメントのためのスペースを許容しながら、そうしたPCBの内部にフィットするように寸法決めすることができる。本発明の特に好ましい実施形態において、磁気インレーは、「硬い（”hard”）」材料から作ることができる永久磁石である。例えば、ネオジム(Nd2Fe14B)、サマリウム-コバルト(SmCo5、Sm(Co、Fe、Cu、Zr)7)といった希土類合金から、または、アルニコ合金からである。好ましくは、アライメント磁石は、少なくとも７５０ｋＡｍ−１の磁化を有する。磁石の材料特性および寸法は、好ましくは、１５０℃の領域の温度においてさえも、磁石の連続的な信頼性ある挙動−すなわち、吸引の磁力において著しい減少が無いこと−ができるように選択される。
【００２１】
本発明の特に好ましい実施形態において、磁気LEDダイパッドおよびアライメント磁石は、PCBマウント面に対して平行に作用する磁化方向の特定的なコンフィグレーションを達成するように具現化することができる。磁化方向は、磁石の「南極（”south  pole”）」から磁石の「北極（”north  pole”）」までを指す矢印として可視化されてよい。そうした一つの実施形態において、アライメント磁石の磁化方向は、PCBアノードパッドをPCBカソードパッドに対して接続している仮想直線（imaginary  straight  line）に対して平行であり、そして、各LEDダイパッドの磁化方向は、アライメント磁石の磁化方向に対してアンチパラレル（antiparallel）である。このようにして磁石を準備することによって、アライメント磁石に近づくLEDダイは、そのダイパッドの磁化方向をアライメント磁石の磁化方向に対してアンチパラレルに整列させるように、自動的に回転する。この特性は、そうしたLEDダイがPCB上の液体の薄い層の上で浮くように分散され、かつ、ゆり動かされる（agitated）、本発明の方法の「セルフアライメント」の実施形態において有効に使用される。LEDダイは、アライメント磁石に対する「正しい（”correct”）」位置を自動的に仮定し、そして、PCBマウント面に対して直角に作用する磁気吸引力のため、その位置で留まる。液体層は、蒸発する溶媒を含んでよい。代替的に、PCBは、バス（bath）の中に置かれ、そして、アライメントプロセスの最中に、ゆっくりと持ち上げられてよく、過剰な液体が表面から排出されるのを可能にする。そうしたセルフアライメント方法は、特に基板毎のLEDの数量が増加するにつれて、ピックアンドプレースプロセスよりも迅速であり得る。
【００２２】
PCBに対する半田無し接続にもかかわらず、LEDダイが所定の位置に留まることを確実にするために、本発明の方法は、好ましくは、キャリア上で整列されたLEDダイの位置を固定するために、整列されたLEDダイおよびキャリアの上、または、それらがキャリアに接触するLEDのエッジ、のいずれかに、接着剤コーティングを適用するステップを含む。そうしたコーティングは、接着剤の層、ラミネート層、または、あらゆる他の適切な層を含むことができる。本発明の好ましい実施態様において、コーティングは、硬化（curing）の際に収縮を経験する材料を含んでいる。このことは、LEDダイパッドとマウントパッドとの間の物理的、そして、従って、電気的および熱的な接続を維持または改善するために、PCBマウント面に向かってLEDダイを引っ張るように作用する力を結果として生じる。
【００２３】
本発明の別の実施形態においては、１つまたはそれ以上の外部アライメント磁石の配置が、装置のアセンブリの最中に使用され得る。この実施形態では、１つまたはそれ以上の外部アライメント磁石が、コンポーネント配置システムによって使用され、そして、その埋め込まれたアライメント磁石と共にPCBの下方に位置するように配置されている。アライメントステップの最中に、外部アライメント磁石は、埋め込まれたアライメント磁石の磁化を増加させ、かつ、LEDダイパッドとその対応するPCBマウントパッドとの間の吸引力を増加させる強力な磁場を生成し、それによって、LEDダイパッドとその対応するPCBマウントパッドの正しいアライメントを支援している。
【００２４】
例えば、さらなるアライメント磁石は、全ての埋め込まれたアライメント磁石を磁化する単一の大きな電磁石であり得る。LEDダイは、例えば、上述のようなピックアンドプレースツールを使用して、PCBパッドの上に置かれ、そして、所定の位置に落とすことができる。吸引の磁力は、一旦ピックアンドプレースツールによって落とされたら、PCB上の所定の位置にLEDが保持されることを確保している。
【００２５】
１つまたはそれ以上の外部アライメント磁石を使用することによって、ダイパッドおよび埋め込まれたアライメント磁石は、「軟（”soft”）」磁性材料から作ることができる。例えば、ダイパッド、及び／又は、埋め込まれたアライメント磁石は、ニッケル−鉄合金またはパーマロイといった、材料で作ることができる。そうした材料は、上述の「硬（”hard”）」磁性材料よりも、著しく供給する（source）のが容易であり、かつ、より経済的である。好ましくは、ダイをそれぞれのマウントパッドに対して整列させるステップの後で、ダイをPCB上の所定の位置に保持するために、上述のようなコーティングを適用するステップが続く。
【００２６】
アライメントステップを補助するために外部アライメント磁石を使用する技術は、非常に薄い埋め込まれたアライメント磁石を有する非常に薄いPCBの使用を可能にする。例えば、PCBは、ミリメートルのほんの少しの厚さを有する薄いフレキシブルなフォイルとして形成され得る。この場合に、埋め込まれたアライメント磁石は、PCBフォイルの厚さに匹敵する厚さを有し得る。
【００２７】
本発明の他の目的および特徴は、添付の図面と併せて考察される以降の詳細な説明から明らかになるだろう。しかしながら、図面は、例示の目的のためだけにデザインされたものであり、そして、本発明の限界を定義するものとしてデザインされていないことが理解されるべきである。
【図面の簡単な説明】
【００２８】
【図１】図１は、本発明のLEDアセンブリの一つの実施形態の断面図を示している。
【図２】図２は、本発明のLEDダイ一つの実施形態の下方からの平面図を示している。
【図３】図３は、本発明のLEDアセンブリのさらなる実施形態の断面図を示している。
【図４】図４は、本発明のLEDダイの一つの実施形態とアライメント磁石との間のセルフアライメントの原理を示している。
【図５】図５は、本発明の方法の一つの実施形態におけるセルフアライメント段階を示している。
【図６】図６は、本発明のLEDアセンブリのさらなる実施形態の断面図を示している。
【図７】図７は、第１製造段階における本発明のLEDアセンブリのさらなる実施形態の断面図を示している。
【図８】図８は、図７の実施形態の平面図を示している。
【図９】図９は、後の製造段階における図７の実施形態の断面図を示している。
【００２９】
図面において、同様な数字は、全体を通して同様なオブジェクトを参照するものである。図中のオブジェクトは、必ずしも縮尺どおりに描かれているものではない。
【発明を実施するための形態】
【００３０】
図１は、本発明のLEDアセンブリの一つの実施形態の断面図であり、そして、PCB  10の上の所定の位置にLEDダイ11を示している。アライメント磁石Ｍａｌｉｇｎは、PCB  10に埋め込まれており、そのLEDダイ11のPCB接点101、102のスパンの距離にわたって延在するように示されている。アライメント磁石Ｍａｌｉｇｎは、最大２．０ｍｍの深さまで埋め込むことができ、すなわち、その上面は、PCB  10のマウント面100の下方２．０ｍｍまでである。LEDダイ11は、磁気ダイパッドＭｐａｄ＿１、Ｍｐａｄ＿２を有している。アライメント磁石Ｍａｌｉｇｎと磁気ダイパッドＭｐａｄ＿１、Ｍｐａｄ＿２との間の磁気吸引力Ｆの力は、LEDダイ11をPCB  10上の所定の位置に保持するのに十分である。LEDダイ11とPCB  10との間の電気的接続は、従って、全く半田無し（solderless）である。図２は、LEDダイ11の一つの実施形態の下方からの平面図を示しており、それらの間に適切なギャップを有するダイパッドＭｐａｄ＿１、Ｍｐａｄ＿２を示している。ダイパッドの一方がLEDのアノードであり、そして、他方のダイパッドがカソードであるからである。ここで、ダイ11は、幅Ｗ１１を有する本質的に正方形の形状を有している。幅は、自動車(フロント、リヤ、他のシグナル、または、インテリア)、一般照明、ディスプレイ(直接発光またはバックライト)、アウトドア(街路照明)、または、カメラフラッシュのアプリケーションについて、１．０ｍｍのオーダーであり得る。アライメント磁石の寸法、厚さｈｍ１０、幅ｗｍ１０、および、深さｄｍ１０(ここではLEDの深さと同じように示されている)といったもの、磁気ダイパッドＭｐａｄ＿１、Ｍｐａｄ＿２の寸法、厚さｈｍ１１、深さｄｍ１１、および、幅ｗｍ１１といったもの、そして、アライメント磁石Ｍａｌｉｇｎおよび磁気ダイパッドＭｐａｄ＿１、Ｍｐａｄ＿２の材料特性は、意図された製品アプリケーションにおいてLEDダイ11を所定の位置に確実に保持する、適切に強力なＦを達成するように選択される。
【００３１】
図３は、本発明のLEDアセンブリのさらなる実施形態の断面図を示している。ここでは、LEDダイパッドＭｐａｄ＿１、Ｍｐａｄ＿２とPCB接点パッド101、102との間に好ましい電気的(および熱的)接続が形成されるように、導電性グリース（electrically  conductive  grease）の層14がPCB接点パッド101、102に適用されている。この例示的な実施形態は、また、貴金属（noble  metal）といった、材料の保護層15も示している。各LEDダイパッドＭｐａｄ＿１、Ｍｐａｄ＿２の外面に対して適用され、これらを腐食に対して保護するものである。図は、また、例えば、PCB接点を別のコンポーネントまたは電力パッドに対して電気的に接続するための導電性トラック（conductive  track）103(たいていはエッチングされた銅トラック)も示している。
【００３２】
図１および図３の実施形態において、アライメント磁石Ｍａｌｉｇｎは、キャリア10に埋め込まれている。LEDダイ11は、ピックアンドプレースマシンといった、従来の装置を使用してPCB  10の上に配置され得る。代替的に、磁石のセルフアライメント特性が、本発明の方法における代替的なアライメントステップの最中に使用されてよい。図４は、一つの実施形態を示しており、そこでは、アライメント磁石ＭａｌｉｇｎおよびLEDダイパッドＭｐａｄ＿１、Ｍｐａｄ＿２それぞれが、PCB  10の表面に対して平行な磁化方向Ｄ１０、Ｄ１１を示すように用意されている。具体的に、アライメント磁石Ｍａｌｉｇｎは、その磁化方向Ｄ１０が、LED  11のための接点パッド101、102間の方向に対応するように、用意され、そして、埋め込まれている。代替的に、アライメント磁石ＭａｌｉｇｎおよびダイパッドＭｐａｄ＿１、Ｍｐａｄ＿２は、磁化方向がダイパッド間におけるギャップに対して平行になるように、用意され得る。−この実施形態は、所望のアンチパラレル（anti-parallel）コンフィグレーションを達成するように、図４のアライメント磁石の磁化方向Ｄ１０を時計回り方向に９０°回転することによって、そして、または、ダイパッドの磁化方向Ｄ１１を９０°回転することによっても、可視化され得る。
【００３３】
図５は、本発明の方法の代替的な実施形態におけるセルフアライメント段階を示している。上述のように、磁化方向Ｄ１０を有するアライメント磁石Ｍａｌｉｇｎは、PCB  10に埋め込まれている。この実施形態においては、しかしながら、１つまたはそれ以上の外部アライメント磁石Ｍｅｘｔが、製造装置2の一部として、PCB  10の下に位置するように配置されている。PCBは、自由（loose）なLEDダイ11が、PCB  10の上部の液体層Ｌの表面上に浮かぶことができるように、バス（bath）の中に置かれている。各LEDダイ11のダイパッドＭｐａｄ＿１、Ｍｐａｄ＿２は、上述のように、磁化方向Ｄ１１を有するように準備されている。アライメント磁石Ｍａｌｉｇｎの磁場は、近傍におけるLEDダイ11に、それ自身をアライメント磁石Ｍａｌｉｇｎの真上で中心に置かせ、そして、液体Ｌの表面上で回転させ、そうして、ダイパッドＭｐａｄ＿１、Ｍｐａｄ＿２の磁化方向Ｄ１１は、アライメント磁石Ｍａｌｉｇｎの磁化方向Ｄ１０に対してアンチパラレルに整列する。この例示的な実施形態において、埋め込まれたアライメント磁石Ｍａｌｉｇｎ及び／又はダイパッドＭｐａｄ＿１、Ｍｐａｄ＿２は、「軟質（”soft”）」磁性材料で作ることができる。外部アライメント磁石Ｍｅｘｔは、磁気的に「軟質」な埋め込まれたアライメント磁石ＭａｌｉｇｎとダイパッドＭｐａｄ＿１、Ｍｐａｄ＿２との間の磁気吸引力を、それらを磁化することによって一時的に増加または増幅する働きをする。図において、左側のLEDダイ11は、すでに、その下にあるアライメント磁石Ｍａｌｉｇｎとそれ自身が整列されている。右側のLEDダイ11は、その下にあるアライメント磁石Ｍａｌｉｇｎとそれ自身が整列するように、回転する。液体Ｌは、LEDダイ11が一旦それぞれの接点パッドの上に位置決めされると、蒸発するか、または排出され得る。LED11が液体Ｌの上を自由に移動するので、このアライメントプロセスは非常に短い時間内で完了され得る。一旦、その配置されたダイを有するPCBが外部アライメント磁石Ｍｅｘｔの影響から取り外されると、埋め込まれたアライメント磁石ＭａｌｉｇｎとダイパッドＭｐａｄ＿１、Ｍｐａｄ＿２との間の残留磁場（residual  magnetic  field）は、比較的に弱くあり得る。従って、ダイをその接点パッド101、102上の所定の位置に保持するのを支援するために、接着剤コーティングまたは収縮コーティングが適用され得る。
【００３４】
図６は、本発明のLEDアセンブリのさらなる実施形態の断面図を示している。ここで、キャリア10は、対応するように薄い埋め込まれたアライメント磁石Ｍａｌｉｇｎを伴う非常に薄いPCBフォイル（foil）10である。LEDダイ11は、例えば、図５において説明された方法で、または、ピックアンドプレースマシンを使用して整列されており、LEDダイ11を(それらの磁気ダイパッドＭｐａｄ＿１、Ｍｐａｄ＿２を用いて)、アセンブリの最中にPCBフォイル10の下に配置されているアライメント磁石Ｍａｌｉｇｎおよび外部アライメント磁石Ｍｅｘｔ(図示なし)の上に位置決めする。いずれにしても、LEDダイ11の上にコーティングまたはカバー16が適用され、PCB  10に対してこれらを固定する。カバー16は、LEDダイパッドＭｐａｄ＿１、Ｍｐａｄ＿２とPCB接点パッド101、102との間に半田がない場合でさえも、LED11がPCB  10上の所定の位置に確実に保持されるように、硬化の最中に収縮し、または、締め付ける収縮コーティングであり得る。カバー16は、半透明であってよく、そして、LEDダイ11の外面をカバーしてもよい。もしくは、LEDダイ11の外縁(並びに、PCB  10の外表面)に沿ってだけ存在するように適用されてよい。
【００３５】
図７-図９は、さらなる可能な実施形態を示している。図７において、PCB  10は、LED  11を収容するように成形されたカットアウト（cut-out）110または凹部（recess）110を有するように示されている。アライメント磁石Ｍａｌｉｇｎは、PCB  10に埋め込まれているが、図８の左側に与えられた平面図において示されるように、カットアウト110から斜めにオフセットしている。図は、そのLEDダイ11のためのPCB接点を示していないが、これらはカットアウト110のベースに存在するものと仮定することができ、そして、また、通常の方法でエッチングされた銅トラックに電気的に接続されているものと仮定することができる。LED  11がPCB  10の上に置かれるか、または、磁気的セルフアライメントを介してカットアウト110の中へたどり着く場合には、図８の右側に示されるように、磁気吸引力Ｆが、LED  11を凹部110のコーナーの方に向かって引っ張っている。この実施形態は、Ｘ方向およびＹ方向における好ましい正確なアライメントを保証することができる。磁気インレー（magnetic  inlay）Ｍａｌｉｇｎがカットアウト110のコーナーの方向においてオフセットしているので、磁場は、LED  11をカットアウト110のコーナーへ移動させ、そして、そのコーナーにおいて２つの側壁が、LED  11のＸ及びＹ位置を正確に画定する。この実施形態のさらなる展開において、カットアウト110は、LED  11からPCB  10への熱的コンタクトを改善するために、熱伝導性の液体接着剤14を用いて部分的に満たされてよい。導電性液体接着剤の使用が望ましい場合には、「仕切壁（”partition  wall”）」109がカットアウト110の中に置かれるか、または、PCB  10の一部として製造され、LED  11からPCB  10への電気的および熱的コンタクトを改善する導電性および熱伝導性の液体接着剤14の２つのウェル（well）を電気的に分離することができる。
【００３６】
本発明は、好ましい実施形態およびその変形の形態において開示されてきたが、本発明の範囲から逸脱することなく、多数の追加的な変更および変形がそれに対して成し得ることが理解されよう。明確にするために、この出願全体を通じて「一つの（”a”又は”an”）」の使用は、複数を排除するものではなく、そして、「有する（”comprising”）」は、他のステップまたはエレメントを排除するものではないことが理解されるべきである。「ユニット（”unit”）」又は「モジュール（”module”）」の言及は、１つ以上のユニット又はモジュールの使用を排除するものではない。
【符号の説明】
【００３７】
１  LEDキャリアアセンブリ
２  製造装置
１０  キャリア
１１  LEDダイ
１４  導電性グリース
１５  防護コーティング
１６  カバー層
１００  マウント面
１００Ｍ  マグネット上面
１０１、１０２  マウントパッド
１０３  導電性トラック
１０９  パーティション
１１０  凹部
Ｍｐａｄ＿１、Ｍｐａｄ＿２  磁気ダイパッド
ｈｍ１１  高さ
ｗｍ１１  幅
ｄｍ１１  深さ
Ｍａｌｉｇｎ  アライメント磁石
Ｍｅｘｔ  外部磁石
ｗｍ１０  幅
ｈｍ１０  高さ
ｄｍ１０  深さ
Ｌ  液体
Ｆ  磁力
Ｄ  磁化方向
【図１】
2020501370.tif 000003
【図２】
2020501370.tif 000004
【図３】
2020501370.tif 000005
【図４】
2020501370.tif 000006
【図５】
2020501370.tif 000007
【図６】
2020501370.tif 000008
【図７】
2020501370.tif 000009
【図８】
2020501370.tif 000010
【図９】
2020501370.tif 000011
【手続補正書】
【提出日】令和1年6月13日(2019.6.13)
【手続補正１】
【補正対象書類名】明細書
【補正対象項目名】０００３
【補正方法】変更
【補正の内容】
【０００３】
SMT  LEDの電極接点（electrode  contacts）も、また、たいてい、PCB上の所定の位置に半田付けされ得る。LEDダイパッドとPCBパッドとの間の半田接続は、好ましくは低い電気低抗および熱抵抗を有している。しかしながら、LEDダイを所定の位置に半田付けすることは、多くの問題と関連している。第１に、全ての半田は十分に高い温度で溶融し、そして、LEDダイとPCBとの間の半田接合が、従って、LEDダイの許容される接合温度（junction  temperature）を制限している。過度に高い接合温度は、半田を軟化し、または、融解さえし、そして、LEDダイはPCBから分離し得る。第２に、凝固した半田（solidified  solder）の材料特性は、繰り返される温度サイクルの際にボイド（voids）またはクラックが形成されるようなものであり、それによって、最終製品の温度衝撃（thermal  shock、TMSK）の信頼性を低下させている。第２に、半田の量、および、半田付け手段の最中の溶融と凝固プロセスにおける不確実性とランダム性は、半田接合によってマウントされたLEDが、３次元(X、Y、およびZ)のいずれにおいてもミスアライメント（misalignment）に悩まされ、そして、所望の取り付け面から外れて回転または傾き得ることを意味する。Z方向におけるミスアライメントは、たいてい、最も問題である。特には、精密に特定された光出力特性を有する照明アプリケーションの場合である。さらに、LEDおよびPCBついて使用される異なる材料は、LEDの熱膨張係数(CTE)がPCBのCTEと著しく異なることを意味する。このCTEの不一致（mismatch）は、本質的に避けることができず、そして、LEDダイパッドに対して接合された硬い半田は、オペレーションの最中、そして、特には低温における、保管の最中にLEDに物理的にストレスをかける。CTEの不一致は、最終的にLEDの寿命を短縮し、そして、従って、製品の寿命も短縮する。
【手続補正２】
【補正対象書類名】明細書
【補正対象項目名】０００４
【補正方法】変更
【補正の内容】
【０００４】
半導体パッケージとPCBの整列（alignment）を支援するために磁場を使用することが提案されてきた。例えば、米国特許第5915749号は、集積回路の上面の上に磁性材料の層を追加すること、および、PCBに磁性材料を埋め込むことを提案している。一旦、PCB上の導電性トレースに対して所望の方向に集積回路が整列されると、集積回路の脚（legs）がPCB上の導電性トレースの端部における結合部位に対して半田付けされる。米国特許出願公開第2008/0265367号は、異なるアプローチを検討しており、そこでは、誘導リングまたはコイルが、半導体パッケージ内に、そして、また、PCB内の対応する位置にも埋め込まれる。２つのソレノイドコイルを使用して、誘導リングに磁場を誘起し、そうして、半導体パッケージは、キャリアと整列され、そして、次いで、所定の位置に半田付けされ得る。しかしながら、そうした方法は、半導体パッケージが比較的大きい場合、例えば、多くの脚またはリード（leads）を有する集積回路であるとき、だけに適している。これらの方法は、LEDパッケージといった、非常に小さいパッケージのアライメントには適していない。代替的なアプローチにおいて、特開2014-90052号は、磁気ダイパッドをLEDパッケージに備えること、および、PCBまたはキャリア上に対応する磁気接点パッドを配置することを考慮する。しかしながら、磁気接点パッドを備えるキャリアを準備することはコストがかかり得るものである。
【国際調査報告】
2020501370.tif 000012
2020501370.tif 000013
2020501370.tif 000014